(57)【要約】基地局の中央ユニット（１）は、キャリアアグリゲーションのセカンダリセルの追加を要求するメッセージを基地局の分散ユニット（２）に送信する。当該メッセージは、セカンダリセルが当初は（ｉｎｉｔｉａｌｌｙ）活性化される（ａｃｔｉｖａｔｅｄ）べき又は休止状態である（ｄｏｒｍａｎｔ）べきことを示す第１の情報要素を含む。これにより、例えば、基地局が中央ユニット及び分散ユニットに分離されるアーキテクチャにおいてセカンダリセル状態の直接的な設定を可能にするための改良に寄与できる。
2020090201.tif 000002
【特許請求の範囲】
【請求項１】
基地局の中央ユニットであって、
少なくとも１つのメモリと、
前記少なくとも１つのメモリに結合された少なくとも１つのプロセッサと、
を備え、
前記少なくとも１つのプロセッサは、キャリアアグリゲーションのセカンダリセルの追加を要求する第１のメッセージを前記基地局の分散ユニットに送信するよう構成され、
前記第１のメッセージは、前記セカンダリセルが当初は活性化されるべき又は休止状態であるべきことを示す第１の情報要素を含む、
中央ユニット。
【請求項２】
前記第１の情報要素は、前記追加の後の前記セカンダリセルを、非活性化せずに、活性化する又は休止状態とするよう前記分散ユニットに促す、
請求項１に記載の中央ユニット。
【請求項３】
前記少なくとも１つのプロセッサは、アシスタンス情報を含む第２のメッセージを前記分散ユニットから受信し、前記アシスタンス情報に基づいて前記セカンダリセルが活性化されるべき又は休止状態であるべきことを決定するよう構成される、
請求項１又は２に記載の中央ユニット。
【請求項４】
前記少なくとも１つのプロセッサは、さらに、前記セカンダリセルの状態を活性化状態、休止状態、及び非活性化状態の間で変更するよう前記分散ユニットに指示又は提案する第３のメッセージを、前記セカンダリセルの追加後に前記分散ユニットに送信するよう構成される、
請求項１〜３のいずれか１項に記載の中央ユニット。
【請求項５】
前記少なくとも１つのプロセッサは、さらに、前記セカンダリセルに関連付けられた無線端末のアクティビティ情報を前記分散ユニットから受信し、前記アクティビティ情報に基づいて前記セカンダリセルの状態の変更を決定するよう構成される、
請求項４に記載の中央ユニット。
【請求項６】
前記第１のメッセージは、前記セカンダリセルの複数のダウンリンクbandwidth parts（BWPs）のうち２つ以上のダウンリンクBWPsを活性化するよう前記分散ユニットに指示又は提案する第２の情報要素をさらに含む、
請求項１〜５のいずれか１項に記載の中央ユニット。
【請求項７】
前記少なくとも１つのプロセッサは、さらに、前記セカンダリセルの複数のダウンリンクbandwidth parts（BWPs）のうち２つ以上のダウンリンクBWPsを活性化するよう前記分散ユニットに指示又は提案する第４のメッセージを、前記分散ユニットに送信するよう構成される、
請求項１〜５のいずれか１項に記載の中央ユニット。
【請求項８】
基地局の分散ユニットであって、
少なくとも１つのメモリと、
前記少なくとも１つのメモリに結合された少なくとも１つのプロセッサと、
を備え、
前記少なくとも１つのプロセッサは、キャリアアグリゲーションのセカンダリセルの追加を要求する第１のメッセージを前記基地局の中央ユニットから受信するよう構成され、
前記第１のメッセージは、前記セカンダリセルが当初は活性化されるべき又は休止状態であるべきことを示す第１の情報要素を含む、
分散ユニット。
【請求項９】
前記少なくとも１つのプロセッサは、さらに、前記第１の情報要素の受信に応答して、前記追加の後の前記セカンダリセルを、非活性化せずに、活性化する又は休止状態とするよう構成される、
請求項８に記載の分散ユニット。
【請求項１０】
前記少なくとも１つのプロセッサは、アシスタンス情報を含む第２のメッセージを前記中央ユニットに送信するよう構成され、
前記アシスタンス情報は、前記セカンダリセルが活性化されるべき又は休止状態であるべきことを決定するよう前記中央ユニットに促す、
請求項８又は９に記載の分散ユニット。
【請求項１１】
前記少なくとも１つのプロセッサは、さらに、前記セカンダリセルの状態を活性化状態、休止状態、及び非活性化状態の間で変更するよう前記分散ユニットに指示又は提案する第３のメッセージを、前記セカンダリセルの追加後に前記中央ユニットから受信するよう構成される、
請求項８〜１０のいずれか１項に記載の分散ユニット。
【請求項１２】
前記少なくとも１つのプロセッサは、前記第３のメッセージに従って、前記セカンダリセルの状態を変更するよう構成される、
請求項１１に記載の分散ユニット。
【請求項１３】
前記第１のメッセージは、前記セカンダリセルの複数のダウンリンクbandwidth parts（BWPs）のうち２つ以上のダウンリンクBWPsを活性化するよう前記分散ユニットに指示又は提案する第２の情報要素をさらに含む、
請求項８〜１２のいずれか１項に記載の分散ユニット。
【請求項１４】
前記少なくとも１つのプロセッサは、さらに、前記セカンダリセルの複数のダウンリンクbandwidth parts（BWPs）のうち２つ以上のダウンリンクBWPsを活性化するよう前記分散ユニットに指示又は提案する第４のメッセージを、前記中央ユニットから受信するよう構成される、
請求項８〜１３のいずれか１項に記載の分散ユニット。
【請求項１５】
基地局の中央ユニットにおける方法であって、
キャリアアグリゲーションのセカンダリセルの追加を要求する第１のメッセージを前記基地局の分散ユニットに送信することを備え、
前記第１のメッセージは、前記セカンダリセルが当初は活性化されるべき又は休止状態であるべきことを示す第１の情報要素を含む、
方法。
【請求項１６】
基地局の分散ユニットにおける方法であって、
キャリアアグリゲーションのセカンダリセルの追加を要求する第１のメッセージを前記基地局の中央ユニットから受信することを備え、
前記第１のメッセージは、前記セカンダリセルが当初は活性化されるべき又は休止状態であるべきことを示す第１の情報要素を含む、
方法。
【請求項１７】
基地局の中央ユニットにおける方法をコンピュータに行わせるためのプログラムを格納した非一時的なコンピュータ可読媒体であって、
前記方法は、キャリアアグリゲーションのセカンダリセルの追加を要求する第１のメッセージを前記基地局の分散ユニットに送信することを備え、
前記第１のメッセージは、前記セカンダリセルが当初は活性化されるべき又は休止状態であるべきことを示す第１の情報要素を含む、
非一時的なコンピュータ可読媒体。
【請求項１８】
基地局の分散ユニットにおける方法をコンピュータに行わせるためのプログラムを格納した非一時的なコンピュータ可読媒体であって、
前記方法は、キャリアアグリゲーションのセカンダリセルの追加を要求する第１のメッセージを前記基地局の中央ユニットから受信することを備え、
前記第１のメッセージは、前記セカンダリセルが当初は活性化されるべき又は休止状態であるべきことを示す第１の情報要素を含む、
非一時的なコンピュータ可読媒体。
【発明の詳細な説明】
【技術分野】
【０００１】
本開示は、無線通信システムに関し、特に、キャリアアグリゲーションの強化（enhancements）に関する。
【背景技術】
【０００２】
3rd Generation Partnership Project（3GPP） Release 15では、Long Term Evolution（LTE）キャリアアグリゲーション（carrier aggregation（CA））の強化（enhancements）が導入される。これらの強化は、セカンダリセル（Secondary Cell（SCell））の早い（早急な）セットアップ及び活性化（activation）を目的としている（非特許文献１−４を参照）。【０００３】
これらの強化のうちの１つは、休止状態（dormant state）と呼ばれる新たなSCell状態の導入である。SCellが休止状態であるとき、無線端末（i.e., User Equipment（UE））はChannel State Information（CSI）を測定して報告するが、Physical Downlink Control Channel（PDCCH）をデコードしない。すなわち、dormant SCell状態（dormant状態のSCell）は、少なくともUEがPDCCHを監視（モニター）又はデコードしない点で、activated SCell状態（activated状態のSCell）と異なる。また、dormant SCell状態は、少なくともUEがCSIを測定して報告する点で、deactivated SCell状態（deactivated状態のSCell）と異なる。【０００４】
これらの強化のうちの他の１つは、Radio Resource Control (RRC)による直接的なSCell状態設定（direct SCell state configuration via RRC）である。既存のCAでは、SCellが追加される際に、当該SCellは当初は（initially）非活性化（deactivated）される。これとは対照的に、direct SCell state configurationは、SCellの追加又はハンドオーバの際に、RRCを介して、SCellが最初に（initially）活性化される（activated）又は休止状態とされる（dormant）ことを可能にする。eNBは、RRCでSCellを設定する際に、SCellの初期状態をactivated又はdormantに指定することができる。【０００５】
さらに、よく知られているように、3GPPは、2020年以降の導入に向けた5Gの標準化作業を行っている。本明細書では、第5世代移動通信システムは、5G System、又はNext Generation (NextGen) System（NG System）とも呼ばれる。5G Systemのための新たなRadio Access Technology（RAT）は、New Radio、NR、5G RAT、又はNG RATと呼ばれる。5G Systemのための新たな無線アクセスネットワーク（Radio Access Network（RAN））は、NextGen RAN、NG-RAN、又は5G-RANと呼ばれる。NG-RAN 内の新たな基地局（NG-RANノード）は、gNodeB又はgNBと呼ばれる。5G Systemのための新たなコアネットワークは、5G Core Network（5GC）又はNextGen Core（NG Core）と呼ばれる。5G Systemに接続する無線端末（User Equipment（UE））は、5G UE、NextGen UE（NG UE）又は単にUEと呼ばれる。【０００６】
5GCの主な構成要素は、Access and Mobility Management function（AMF）、Session Management function（SMF）、User plane function（UPF）である。AMFは、例えば、UEのコネクション管理及びモビリティ管理、NG-RANのコントロール・プレーン（CP）の終端（例えばNG-RANノードとのCP情報の交換）、並びにNASレイヤの終端（例えばUEとのNASメッセージの交換）を行う。SMFは、例えば、セッション管理（Session Management（SM））、NASメッセージのセッション管理部分の終端を行う。UPFは、Intra-RATおよびInter-RATモビリティ（e.g. handover）のアンカーポイントであり、QoSフローの管理（e.g. DL reflective QoS marking）などを行う。【０００７】
本明細書で使用される“LTE”との用語は、特に断らない限り、5G Systemとのインターワーキングを可能とするためのLTE及びLTE-Advancedの改良・発展を含む。5G System とのインターワークのためのLTE及びLTE-Advancedの改良・発展は、LTE-Advanced Pro、LTE+、又はenhanced LTE（eLTE）とも呼ばれる。例えば、NG-RANノードとして機能するeLTEのeNBはng-eNBとも呼ばれる。さらに、本明細書で使用される“Evolved Packet Core (EPC)”、“Mobility Management Entity (MME)”、“Serving Gateway (S-GW)”、及び“Packet Data Network (PDN) Gateway (P-GW)”等のLTEのネットワーク又は論理的エンティティに関する用語は、特に断らない限り、5G Systemとのインターワーキングを可能とするためのこれらの改良・発展を含む。改良されたEPC、MME、S-GW、及びP-GWは、例えば、enhanced EPC（eEPC）、enhanced MME（eMME）、enhanced S-GW（eS-GW）、及びenhanced P-GW（eP-GW）とも呼ばれる。【０００８】
NRは、複数の周波数バンドでの異なる無線パラメタセットの使用をサポートする。各無線パラメタセットは、“numerology”と呼ばれる。Orthogonal Frequency Division Multiplexing（OFDM）システムのためのOFDM numerologyは、例えば、サブキャリア間隔（subcarrier spacing）、システム帯域幅（system bandwidth）、送信時間間隔の長さ（Transmission Time Interval (TTI) length）、サブフレーム長（subframe duration）、サイクリックプリフィックス長さ（Cyclic prefix length）、及びシンボル期間（symbol duration）を含む。5G systemは、異なるサービス要件の様々なタイプのサービス、例えば広帯域通信（enhanced Mobile Broad Band: eMBB）、高信頼・低遅延通信（Ultra Reliable and Low Latency Communication:  URLLC）、及び多接続M2M通信（massive Machine Type Communication: mMTC）を含む、をサポートする。Numerologyの選択は、サービス要件に依存する。【０００９】
NRは、LTEのそれに比べてより広いチャネル帯域（channel bandwidths）（e.g., 100s of MHz）をサポートする。１つのチャネル帯域（i.e., BWChannel）は、１つのNRキャリアをサポートするradio frequency帯域（RF bandwidth）である。チャネル帯域は、システム帯域とも呼ばれる。LTEが20 MHzまでのチャネル帯域をサポートするのに対して、5G NRは例えば800 MHzまでのチャネル帯域（channel bandwidths）をサポートする。【００１０】
複数の5Gサービス、例えばeMBBのような広帯域サービス及びInternet of Things（IoT）のような狭帯域サービスを効率的にサポートするためには、これら複数のサービスを１つのチャネル帯域上に多重できることが好ましい。さらに、もし全ての5G UEがチャネル帯域全体に対応した送信帯域（transmission bandwidth）での送信および受信をサポートしなければならないなら、これは狭帯域IoTサービスのためのUEsの低コスト及び低消費電力を妨げるかもしれない。したがって、3GPPは、各NRコンポーネントキャリアのキャリア帯域（i.e., チャネル帯域又はシステム帯域）内に１又はそれ以上のbandwidth parts（BWPs）が設定されることを許容する。bandwidth partは、carrier bandwidth partとも呼ばれる。複数のBWPsは、異なるnumerologies（e.g., subcarrier spacing（SCS））の周波数多重（frequency division multiplexing（FDM））のために使用されてもよい。例えば、複数のBWPsは、異なるSCS及び異なるbandwidthを持ってもよい。【００１１】
例えば、１つのコンポーネントキャリアのチャネル帯域がBWP #1及びBWP #2に分割され、これら２つのBWPsが異なるnumerologies（e.g., 異なるsubcarrier spacing）のFDMのために使用される。他の例では、１つのコンポーネントキャリアのチャネル帯域の中に狭帯域なBWP #1が配置され、BWP #1よりもさらに狭帯域なBWP #2がBWP #1内にさらに配置される。BWP #1又はBWP #2がUEに対して活性化されている場合、当該UEはactive BWPの外側（しかしチャネル帯域内）で受信及び送信を行わないことにより電力消費を低減できる。【００１２】
１つのbandwidth part（BWP）は、周波数において連続的であり（frequency-consecutive）、隣接する（contiguous）physical resource blocks（PRBs）により構成される。１つのBWPの帯域（bandwidth）は、少なくともsynchronization signal (SS)/physical broadcast channel(PBCH) block帯域と同じ大きさである。BWPは、SS/PBCH block（SSB）を包含してもしなくてもよい。【００１３】
BWP configurationは、例えば、numerology、 frequency location、及びbandwidth（e.g., PRBsの数）を含む。frequency locationを指定するために、共通のPRB indexingが少なくともRadio Resource Control (RRC) connected状態でのダウンリンク（DL）BWP configurationのために使用される。具体的には、UEによってアクセスされるSS/PBCH blockの最低（the lowest）PRBへのPRB 0からのオフセットが上位レイヤシグナリング（higher layer signaling）によって設定される。参照（reference）ポイント“PRB 0”は、同じ広帯域コンポーネントキャリアを共用する全てのUEsに共通である。【００１４】
各コンポーネントキャリアのための１又は複数のBWP configurationsは、準静的に（semi-statically）UEにシグナルされる。具体的には、各UE-specificサービングセルのために、１又はそれ以上のDL BWPs（e.g., 最大４つのDL BWPs）及び１又はそれ以上のUL BWPs（e.g., 最大４つのUL BWPs）がdedicated RRCメッセージによってUEのために設定されることができる。UEに設定された１又はそれ以上のDL BWPs及び１又はそれ以上のUL BWPsは、それぞれDL BWPセット及びUL BWPセットと呼ばれる。【００１５】
UEに設定された１又はそれ以上のBWPs（i.e., BWPセット）の各々は活性化（activated）及び非活性化（deactivated）されることができる。活性化されたBWPは活性化BWP（active BWP）と呼ばれる。すなわち、UEは、任意の時点で（at a given time）、設定されたDL BWPセットのうちの１又はそれ以上の活性化DL BWP上で信号を受信する。同様に、UEは、任意の時点で（at a given time）、設定されたUL BWPセットのうちの１又はそれ以上の活性化UL BWP上で信号を送信する。なお、現在の仕様では、任意の時点で（at a given time）、１つのDL BWPのみ及び１つのUL BWPのみが活性化される。【００１６】
続いて、NG-RANのcloud RAN（C-RAN）配置（deployment）を説明する。NG-RANは、NGインタフェースを介して5GCに接続されたgNBsのセットから構成される。gNBsは、Xnインタフェースで接続されることができる。gNBは、gNB Central Unit（gNB-CU）と１又はそれ以上のgNB Distributed Units（gNB-DUs）から構成されてもよい。gNB-CUとgNB-DUは、F1インタフェースを介して接続される。gNB-CUは、gNBのRadio Resource Control (RRC)、Service Data Adaptation Protocol（SDAP）、及びPacket Data Convergence Protocol（PDCP）protocols（又はgNBのRRC及びPDCP protocols）をホストする論理ノードである。gNB-DUは、gNBのRadio Link Control（RLC）、MAC、及びPHY layersをホストする論理ノードである。【００１７】
さらに、3GPPは、LTE eNBのための CU-DU split architectureを検討している。これは、eNB-CU及びeNB-DUの導入を目的としている。
【先行技術文献】
【非特許文献】
【００１８】
【非特許文献１】Nokia, Nokia Shanghai Bell, “Stage-2 description of euCA”, 3GPP R2-1809245, 3GPP TSG-RAN WG2 Meeting #102, Busan, South Korea, 21-25 May 2018
【非特許文献２】Nokia, Nokia Shanghai Bell, “UE capability definitions for euCA”, 3GPP R2-1809246, 3GPP TSG-RAN WG2 Meeting #102, Busan, South Korea, 21-25 May 2018
【非特許文献３】Nokia, Nokia Shanghai Bell, “MAC functionality for euCA”, 3GPP R2-1809269, 3GPP TSG-RAN WG2 Meeting #102, Busan, South Korea, 21-25 May 2018
【非特許文献４】Nokia, Nokia Shanghai Bell, “Signalling for euCA (Enhancing LTE CA Utilization)”, 3GPP RP-182006, 3GPP TSG RAN Meeting #81, Gold Coast, Australia, 10-13 September 2018
【発明の概要】
【発明が解決しようとする課題】
【００１９】
発明者は、上述のキャリアアグリゲーションの強化について検討し、様々な課題を見出した。例えば、direct SCell state configurationをgNB CU-DU split architecture又はeNB CU-DU split architectureに適用する場合に、CU及びDUのどちらがdirect SCell Stateを決定するかが明確でなく、CU（又はDU）がDU（又はCU）にdirect SCell stateをどのように通知するかも明確でない。【００２０】
本明細書に開示される実施形態が達成しようとする目的の１つは、CU-DU split architectureにおいてdirect SCell state configurationを可能にするための改良に寄与する装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００２１】
第１の態様では、基地局の中央ユニットは、少なくとも１つのメモリ及び前記少なくとも１つのメモリに結合された少なくとも１つのプロセッサを含む。前記少なくとも１つのプロセッサは、キャリアアグリゲーションのセカンダリセルの追加を要求する第１のメッセージを前記基地局の分散ユニットに送信するよう構成される。前記第１のメッセージは、前記セカンダリセルが当初は（initially）活性化されるべき又は休止状態であるべきことを示す第１の情報要素を含む。【００２２】
第２の態様では、基地局の分散ユニットは、少なくとも１つのメモリ及び前記少なくとも１つのメモリに結合された少なくとも１つのプロセッサを含む。前記少なくとも１つのプロセッサは、キャリアアグリゲーションのセカンダリセルの追加を要求する第１のメッセージを前記基地局の中央ユニットから受信するよう構成される。前記第１のメッセージは、前記セカンダリセルが当初は活性化されるべき又は休止状態であるべきことを示す第１の情報要素を含む。【００２３】
第３の態様では、基地局の中央ユニットにおける方法は、キャリアアグリゲーションのセカンダリセルの追加を要求する第１のメッセージを前記基地局の分散ユニットに送信することを含む。前記第１のメッセージは、前記セカンダリセルが当初は活性化されるべき又は休止状態であるべきことを示す第１の情報要素を含む。【００２４】
第４の態様では、基地局の分散ユニットにおける方法は、キャリアアグリゲーションのセカンダリセルの追加を要求する第１のメッセージを前記基地局の中央ユニットから受信することを含む。前記第１のメッセージは、前記セカンダリセルが当初は活性化されるべき又は休止状態であるべきことを示す第１の情報要素を含む。【００２５】
第５の態様では、プログラムは、コンピュータに読み込まれた場合に、上述の第３又は第４の態様に係る方法をコンピュータに行わせるための命令群（ソフトウェアコード）を含む。
【発明の効果】
【００２６】
上述の態様によれば、CU-DU split architectureにおいてdirect SCell state configurationを可能にするための改良に寄与する装置、方法、及びプログラムを提供できる。
【図面の簡単な説明】
【００２７】
【図１】幾つかの実施形態に係る無線通信ネットワークの構成例を示す図である。
【図２】幾つかの実施形態態に係る無線通信ネットワークの構成例を示す図である。
【図３】第１の実施形態に係る中央ノードと分散ノードの間のシグナリングの一例を示すシーケンス図である。
【図４】第３の実施形態に係るUE CONTEXT SETUP REQUESTメッセージのフォーマットの具体例を示す図である。
【図５】第１の実施形態に係る中央ノードの動作の一例を示すフローチャートである。
【図６】第１の実施形態に係る分散ノードの動作の一例を示すフローチャートである。
【図７】第２の実施形態に係る中央ノードと分散ノードの間のシグナリングの一例を示すシーケンス図である。
【図８】第２の実施形態に係る中央ノードの動作の一例を示すフローチャートである。
【図９】第２の実施形態に係る分散ノードの動作の一例を示すフローチャートである。
【図１０】第３の実施形態に係る中央ノードと分散ノードの間のシグナリングの一例を示すシーケンス図である。
【図１１】第３の実施形態に係るUE CONTEXT SETUP REQUESTメッセージのフォーマットの具体例を示す図である。
【図１２】第３の実施形態に係るUE CONTEXT MODIFICATION REQUESTメッセージのフォーマットの具体例を示す図である。
【図１３】第３の実施形態に係るUE INACTIVITY NOTIFICATIONメッセージのフォーマットの具体例を示す図である。
【図１４】第４の実施形態に係る中央ノードと分散ノードの間のシグナリングの一例を示すシーケンス図である。
【図１５】第５の実施形態に係る中央ノードと分散ノードの間のシグナリングの一例を示すシーケンス図である。
【図１６】幾つかの実施形態に係る中央ノード（e.g., gNB-CU）の構成例を示すブロック図である。
【図１７】幾つかの実施形態に係る分散ノード（e.g., gNB-DU）の構成例を示すブロック図である。
【発明を実施するための形態】
【００２８】
以下では、具体的な実施形態について、図面を参照しながら詳細に説明する。各図面において、同一又は対応する要素には同一の符号が付されており、説明の明確化のために必要に応じて重複説明は省略される。
【００２９】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００３０】
以下に示される複数の実施形態は、3GPP 5G systemを主な対象として説明される。しかしながら、これらの実施形態は、他の無線通信システムに適用されてもよい。
【００３１】
＜第１の実施形態＞
図１は、本実施形態を含む複数の実施形態に係る無線通信ネットワークの構成例を示している。図１の例では、無線通信ネットワークは、gNB Central Unit（gNB-CU）１、gNB Distributed Unit（gNB-DU）２、及び無線端末（i.e., UE）３を含む。gNB-CU１及びgNB-DU２は、Radio Access Network（RAN）に配置される。gNB-CU１及び各gNB-DU２の間はインタフェース１０１によって接続される。インタフェース１０１は、F1インタフェースである。gNB-CU１は、２以上のgNB-DUs２と接続されてもよい。gNB-CU１は、gNBのRRC、SDAP、及びPDCP protocols（又はgNBのRRC及びPDCP protocols）をホストする論理ノードであってもよい。gNB-DU２は、gNBのRLC、MAC、及びPHY layersをホストする論理ノードであってもよい。
【００３２】
gNB-CU１及びgNB-DU２は、プライマリセル（PCell）１０及びセカンダリセル（SCell）２０をUE３に提供する。UE３は、プライマリセル（PCell）１０及びセカンダリセル（SCell）２０の間のキャリアアグリゲーション（CA）を用いてgNB-CU１及びgNB-DU２と通信する。UE３は、デュアルコネクティビティのために複数の基地局（i.e., Master gNB（MgNB）及びSecondary gNB（SgNB））に同時に接続されてもよい。この場合、図１のgNB-CU１及びgNB-DU２は、MgNBのCU及びDUであってもよいし、SgNBのCU及びDUであってもよい。図１のPCell１０及びSCell２０は、Master Cell Group（MCG）に含まれるPCell及びSCellであってもよいし、Secondary Cell Group（SCG）に含まれるPrimary SCG Cell（PSCell）及びSCellであってもよい。デュアルコネクティビティのためのMCGのPCell及びSCGのPSCellは、Special Cell（SpCell）とも呼ばれる。
【００３３】
図２に示されるように、gNB-CU１は、Control Plane （CP）Unit（i.e., gNB-CU-CP）１１及び１又はそれ以上のUser Plane（UP）Unit（i.e., gNB-CU-UP）１２を含んでもよい。この場合、gNB-CU-CP１１は、コントロールプレーン・インタフェース２０１（i.e., E1インタフェース）を介してgNB-CU-UP１２に接続される。さらに、gNB-CU-CP１１は、コントロールプレーン・インタフェース２０２（i.e., F1-Cインタフェース）を介してgNB-DU２に接続される。gNB-CU-UP１２は、ユーザプレーン・インタフェース２０３（i.e., F1-Uインタフェース）を介してgNB-DU２に接続される。
【００３４】
図３は、本実施形態のgNB-CU１及びgNB-DU２の動作の一例を示している。ステップ３０１では、gNB-CU１は、SCell２０の追加を要求する制御メッセージ（i.e., F1 Application Protocol (F1AP) メッセージ）をgNB-DU２に送信する。当該制御メッセージは、UE CONTEXT SETUP REQUESTメッセージ又はUE CONTEXT MODIFICATION REQUESTメッセージであってもよい。当該制御メッセージは、SCell２０が当初は（initially）活性化されるべき（activated）又は休止状態であるべき（dormant）ことを示す情報要素（information element（IE））を含む。言い換えると、gNB-CU１は、SCell２０を追加するようgNB-DU２に要求する際に、追加されるSCell２０が当初は活性化されるべき又は休止状態であるべきことをgNB-DU２に示す。当該制御メッセージは、追加の後のSCell２０を、非活性化せずに、活性化する又は休止状態とするようgNB-DU２に促す（cause）。このような動作は、gNB CU-DU split architectureにおけるdirect SCell state configurationを可能にする。
【００３５】
SCell２０の初期状態を示す情報要素は、例えばSCell State IEであってもよい。当該情報要素は、UE CONTEXT SETUP REQUESTメッセージ又はUE CONTEXT MODIFICATION REQUESTメッセージに包含されるSCell to Be Setup Item IEsに含まれてもよい。gNB-CU１は、SCell２０の初期状態がactivated状態又はdormant状態とされる場合にのみ、当該情報要素をgNB-DU２に送信してもよい。SCell２０の追加を要求するF1APメッセージが当該情報要素を含まない場合に、gNB-DU２は、SCell２０の初期状態が指定されない、又はSCell２０が当初は非活性化される（deactivated）ことが許可されていると考えて（consider）もよい。図４は、SCell２０の初期状態を示す情報要素（i.e., SCell State IE）を包含するよう改良されたUE CONTEXT SETUP REQUESTメッセージのフォーマットの一例を示している。
【００３６】
図５は、本実施形態のgNB-CU１の動作の一例を示している。ステップ５０１では、gNB-CU１は、UE３のためにSCell２０の追加を決定し、さらに追加されるSCell２０の初期状態（i.e., Activated、Dormant、又はDeactivated）を決定する。ステップ５０２では、gNB-CU１は、SCell２０の追加を要求し且つSCell２０の初期状態を示すF1APメッセージ（e.g., UE CONTEXT SETUP REQUESTメッセージ又はUE CONTEXT MODIFICATION REQUESTメッセージ）をgNB-DU２に送信する。当該F1APメッセージは、SCell２０の初期状態がactivated状態又はdormant状態とされることを示してもよい。言い換えると、当該F1APメッセージは、SCell２０が当初は（initially）非活性化されるべきでないことを示してもよい。
【００３７】
図６は、本実施形態のgNB-DU２の動作の一例を示している。ステップ６０１では、gNB-DU２は、SCell２０の追加を要求し且つSCell２０の初期状態（activated状態又はdormant状態）を示すF1APメッセージをgNB-CU１から受信する。ステップ６０２では、gNB-DU２は、当該メッセージの受信に応答してSCell２０を設定する。さらに、gNB-DU２は、追加の後のSCell２０を、非活性化せずに、活性化する又は休止状態とする。
【００３８】
幾つかの実装では、gNB-DU２は、応答メッセージをgNB-CU１に送信してもよい。当該応答メッセージは、F1AP: UE CONTEXT SETUP RESPONSEメッセージ又はF1AP: UE CONTEXT MODIFICATION RESPONSEメッセージであってもよい。gNB-DU２は、追加されたSCell２０の初期状態を示す情報要素を当該応答メッセージに含めてもよい。当該情報要素は、sCellState IEであってもよく、CellGroupConfig IEに含まれてもよい。CellGroupConfig IEは、UE CONTEXT SETUP RESPONSE（又はUE CONTEXT MODIFICATION RESPONSE）メッセージによってgNB-DU２からgNB-CU１に運ばれるDU to CU RRC Information IEに含まれる。
【００３９】
幾つかの実装では、gNB-CU１は、アシスタンス情報を含むF1APメッセージをgNB-DU２から受信し、当該アシスタンス情報に基づいてSCell２０が当初は（initially）活性化されるべき又は休止状態であるべきことを決定してもよい。言い換えると、gNB-CU１は、SCell２０が当初は（initially）非活性化されるべきでないことを決定してもよい。すなわち、当該アシスタンス情報は、SCell２０が活性化されるべき又は休止状態であるべきことを決定するようgNB-CU１に促す。アシスタンス情報を運ぶF1APメッセージは、UE CONTEXT MODIFICATION REQUIREDメッセージであってもよい。
【００４０】
アシスタンス情報は、例えば、これに限定されないが、以下の情報を含んでもよい。アシスタンス情報は、UE３がサービングセルとして使用中のセルにおける負荷状況に関する情報（e.g., cell load, radio resource usage, 又はnumber of active UEs）を含んでもよい。さらに又はこれに代えて、アシスタンス情報は、UE３が各サービングセルをどのように使用しているかを示す使用状況（e.g., cell usage, cell utilization status）を含んでもよい。さらに又はこれに代えて、アシスタンス情報は、UE３のQoS満足度に関する情報（e.g., QoS performance, QoS satisfaction, 又はgap to required/expected QoS）を含んでもよい。さらに又はこれに代えて、アシスタンス情報は、UE３が期待する特性に関する情報（e.g., expected/target data rate or throughput）を含んでもよい。
【００４１】
＜第２の実施形態＞
本実施形態に係る無線通信ネットワークの構成例は、図１及び図２に示された例と同様である。本実施形態は、追加されるSCell２０の初期状態をgNB-DU２が決定する例を提供する。
【００４２】
図７は、本実施形態のgNB-CU１及びgNB-DU２の動作の一例を示している。ステップ７０１では、gNB-CU１は、SCell２０の追加を要求する制御メッセージ（i.e., F1 Application Protocol (F1AP) メッセージ）をgNB-DU２に送信する。当該制御メッセージは、UE CONTEXT SETUP REQUESTメッセージ又はUE CONTEXT MODIFICATION REQUESTメッセージであってもよい。
【００４３】
ステップ７０２では、gNB-DU２は、ステップ７０１のメッセージの受信に応答して、SCell２０を追加するとともに、SCell２０の初期状態（i.e., Activated、Dormant、又はDeactivated）を決定する。例えば、gNB-DU２は、追加されるSCell２０が、非活性化されずに、直ちに活性化される又は休止状態とされること決定する。そして、gNB-DU２は、SCell２０の初期状態を示す情報要素を包含する応答メッセージをgNB-CU１に送信する。gNB-DU２は、SCell２０の初期状態がactivated状態又はdormant状態とされる場合にのみ、当該情報要素をgNB-CU１に送信してもよい。この場合、gNB-DU２からのメッセージが当該情報要素を含まない場合に、gNB-CU１は、SCell２０の初期状態が当初は非活性化される（deactivated）と考えて（consider）もよい。
【００４４】
当該情報要素は、例えばsCellState IEであってもよい。当該情報要素は、CellGroupConfig IEに含まれてもよい。CellGroupConfig IEは、UE CONTEXT SETUP RESPONSE（又はUE CONTEXT MODIFICATION RESPONSE）メッセージによってgNB-DU２からgNB-CU１に運ばれるDU to CU RRC Information IEに含まれる。
【００４５】
gNB-DU２が複数のSCell２０を運用している場合、gNB-DU２は、各SCell２０ごとにSCell２０の初期状態を示す情報要素（e.g., sCellState IE）を応答メッセージに含めてgNB-CU１に送信してもよい。すなわち、前述のSCell２０の初期状態を示す情報要素は、sCellState IEのリスト（sCellStateList IE）であってもよい。
【００４６】
図７に示された動作は、gNB CU-DU split architectureにおけるdirect SCell state configurationを可能にする。
【００４７】
幾つかの実装において、gNB-DU２によるSCell２０の初期状態の決定を支援するために、gNB-CU１は、ステップ７０１のメッセージにアシスタンス情報を含めてもよい。gNB-DU２は、追加されるSCell２０の初期状態を決定するために当該アシスタンス情報を考慮してもよい。例えば、当該アシスタンス情報は、SCell２０の追加が緊急であるか否かを示してもよい。当該アシスタンス情報がSCell２０の追加の緊急性を示す場合に、gNB-DU２は、SCell２０の初期状態をactivated状態又はdormant状態とするようにSCell２０を設定してもよい。
【００４８】
さらに又はこれに代えて、当該アシスタンス情報は、SCell２０の用途又は必要性（e.g., urgent、load balancing、又はnormal）を示してもよい。さらに又はこれに代えて、当該アシスタンス情報は、SCell２０の追加の目的（e.g., load balancing、又はthroughput (improvement)）を示してもよい。
【００４９】
さらに又はこれに代えて、当該アシスタンス情報は、gNB-CU１のPDCP bufferに関する情報（e.g., PDCP buffer status, 又はPDCP buffer usage radio）を含んでもよい。当該情報は、gNB-CU１のPDCP bufferの使用状況（又は負荷）を示してもよい。言い換えると、当該情報は、gNB-CU１のPDCP bufferの使用状況（又は負荷）は負荷が高いために、SCell２０の追加の追加が必要とされることを示してもよい。
【００５０】
図８は、本実施形態の本実施形態のgNB-CU１の動作の一例を示している。ステップ８０１では、gNB-CU１は、UE３のためにSCell２０の追加を決定し、SCell２０の追加を要求するF1APメッセージをgNB-DU２に送信する。当該F1APメッセージは、例えば、UE CONTEXT SETUP REQUESTメッセージ又はUE CONTEXT MODIFICATION REQUESTメッセージであってもよい。ステップ８０２では、gNB-CU１は、SCell２０の初期状態を示すF1APメッセージをgNB-DU２から受信する。当該F1APメッセージは、例えば、UE CONTEXT SETUP RESPONSEメッセージ又はUE CONTEXT MODIFICATION RESPONSEメッセージであってもよい。
【００５１】
図９は、本実施形態のgNB-DU２の動作の一例を示している。ステップ９０１では、gNB-DU２は、SCell２０の追加を要求するF1APメッセージをgNB-CU１から受信する。ステップ９０２では、gNB-DU２は、当該メッセージの受信に応答してSCell２０を設定する。さらに、gNB-DU２は、追加の後のSCell２０の初期状態を決定する。例えば、gNB-DU２は、追加の後のSCell２０を非活性化せずに活性化する又は休止状態とする。ステップ９０３では、gNB-DU２は、SCell２０の初期状態を示すF1APメッセージ（e.g., UE CONTEXT SETUP RESPONSEメッセージ又はUE CONTEXT MODIFICATION RESPONSEメッセージ）をgNB-CU１に送信する。
【００５２】
＜第３の実施形態＞
本実施形態に係る無線通信ネットワークの構成例は、図１及び図２に示された例と同様である。本実施形態では、SCell２０がUE３のために追加された後に、gNB-CU１は、SCell２０の状態を活性化（activated）状態、休止（dormant）状態、及び非活性化（deactivated）状態の間で変更するようにgNB-DU２に指示又は提案する。このような動作は、SCell２０の現在の状態を制御することをgNB-CU１に可能にする。
【００５３】
図１０は、本実施形態のgNB-CU１及びgNB-DU２の動作の一例を示している。ステップ１００１では、gNB-CU１は、SCell２０の状態を変更するよう指示又は提案するF1APメッセージをgNB-DU２に送信する。当該F1APメッセージは、例えば、UE CONTEXT MODIFICATION REQUESTメッセージであってもよい。
【００５４】
幾つかの実装では、gNB-CU１は、SCell２０の状態の変更をgNB-DU２に促すための情報要素をUE CONTEXT MODIFICATION REQUESTメッセージに含めてもよい。当該情報要素は、SCell State IEであってもよい。当該情報要素は、新たに定義され且つUE CONTEXT MODIFICATION REQUESTメッセージに包含されるSCell to Be Modify Item IEsに含まれてもよい。
【００５５】
幾つかの実装では、gNB-CU１は、SCell２０の状態の変更をgNB-DU２に促すために、SCell２０の削除（remove）を示す情報要素及びSCell２０のセットアップを示す情報要素の両方を１つのUE CONTEXT MODIFICATION REQUESTメッセージに含めてもよい。SCell２０の削除（remove）を示す情報要素はSCell to Be Removed Item IEsであってもよく、一方SCell２０のセットアップを示す情報要素はSCell to Be Setup Item IEsであってもよい。この場合、SCell to Be Setup Item IEsは、SCell２０の状態の変更を示すための情報要素（e.g., SCell State IE）を含んでもよい。
【００５６】
幾つかの実装では、gNB-CU１は、SCell２０の状態の変更をgNB-DU２に促すために、当該状態の変更の目的又は背景を示すCauseをgNB-DU２に送信してもよい。当該Causeは、例えば、UE３が過熱した状態であること（i.e. overheating）を示す情報、又は当該overheatingの状態を解消するためであることを示す情報、でもよい。gNB-CU１は、例えば、SCell２０を休止（dormant）状態、又は非活性化（deactivated）にする指示又は提案と共に、当該CauseをgNB-DU２へ送信してもよい。これに代えて、gNB-CU１は、UE３からoverheatingに関する報告（e.g., overheating assistance information）を受信したことに応じて、UE３に対する設定からSCell２０を削除することを決定し、SCell２０の削除を示す情報要素と共に当該CauseをgNB-DU２へ送信してもよい。
【００５７】
幾つかの実装では、gNB-DU２は、SCell２０に関連付けられたUE３のアクティビティに関連する情報をgNB-CU１に送信してもよい。具体的には、gNB-CU１は、UE３のアクティビティをモニタリングしてよいこと（又はモニタリングして欲しいこと）を示す情報要素を包含するF1APメッセージをgNB-DU２に送信してもよい。当該F1APメッセージは、UE CONTEXT SETUP REQUESTメッセージ（図１１を参照）であってもよいし、UE CONTEXT MODIFICATION REQUESTメッセージ（図１２を参照）であってもよい。図１１及び図１２に示されたメッセージは、UE３のアクティビティをモニタリングしてよいか否か（又はモニタリングが要求されているか否か）を示すInactivity Monitoring Request IEを含む。gNB-CU１は、UE３のアクティビティのモニタリングをgNB-DU２に許可する（又は要求する）場合に、Inactivity Monitoring Request IEに“True”の値を設定する。gNB-DU２は、F1AP: UE INACTIVITY NOTIFICATIONメッセージをgNB-CU１に送信してもよい。当該アクティビティ情報は、SCell２０におけるUE３の通信状態（又はUE３のデータ無線ベアラ（data radio bearer(DRB)）の状態、又は論理チャネル識別子（logical channel identity (LCID)）に紐づいたデータ通信状況）がアクティブであるか否かを示す。当該アクティビティ情報は、非アクティビティ情報と呼ばれてもよい。
【００５８】
LCIDに紐づいたデータ通信状況に基づくUEアクティビティの使用は、例えば、DRBのデータが特定のサービングセルでのみ送信または受信される実装において有効である。より具体的に述べると、幾つかの実装では、UE３があるDRBのアップリンク・データを送信するとき、UE３は、gNB（e.g., gNB-CU１）のRRC signalingにより予め許可された特定のサービングセル（allowed Serving Cell）でのみ当該アップリンク・データを送信できる。同様に、UE３は、gNB（e.g., gNB-DU２）の判断に従って、特定のサービングセルでのみダウンリンク・データを受信できる。これは、キャリアアグリゲーション（CA）を実行中に１つのPDCPパケット（i.e. PDCP SDU）が重複して送信されるpacket duplication（CA-type PDCP duplicationとも呼ぶ）において、オリジナルの論理チャネル（e.g., LCID#1）とPacket duplication用の追加論理チャネル（e.g., LCID#2）のデータを互いに異なるサービングセルにおいて送信又は受信するために必須となる技術である。さらに、当該技術は、packet duplicationの有無によらず使用されることができる。このようにLCIDが特定のサービングセルに紐づけられている場合、gNB-DU２が当該LCIDのアクティビティをモニタリングし、その情報をgNB-DU２からgNB-CU１へ通知することは、SCellの状態管理に有効である。
【００５９】
gNB-CU１は、受信したアクティビティ情報に基づいて、SCell２０の状態の変更を決定してもよい。具体的には、UE３（又はUE３のDRB、又は論理チャネル）が非アクティブ（Not Active）であることをアクティビティ情報が示す場合に、gNB-CU１はSCell２０の状態をactivatedからdormantに又はactivatedからdeactivatedに変更するよう決定してもよい。図１３は、UE INACTIVITY NOTIFICATIONメッセージの具体例を示している。図１３の例では、SCell Activity List IEは、SCell毎のUE３０のアクテビティ（SCell Activity IE）を示す。
【００６０】
＜第４の実施形態＞
本実施形態に係る無線通信ネットワークの構成例は、図１及び図２に示された例と同様である。本実施形態では、SCell２０がUE３のために追加された後に、gNB-DU２は、SCell２０の状態を活性化（activated）状態、休止（dormant）状態、及び非活性化（deactivated）状態の間で変更する。このとき、gNB-DU２は、gNB-CU１からのアシスタンス情報をもとにSCell２０の状態を決定してもよい。このような動作は、SCell２０の現在の状態を制御することをgNB-DU２に可能にする。
【００６１】
図１４は、本実施形態のgNB-CU１及びgNB-DU２の動作の一例を示している。ステップ１４０１では、gNB-CU１は、SCell２０の状態の変更に関連するアシスタンス情報を含むF1APメッセージをgNB-DU２に送信する。当該F1APメッセージは、例えば、UE CONTEXT MODIFICATION REQUESTメッセージであってもよい。
【００６２】
幾つかの実装では、gNB-CU１は、SCell２０の状態の変更に関連するアシスタンス情報をUE CONTEXT MODIFICATION REQUESTメッセージに含めてもよい。当該アシスタンス情報は、UE３の負荷又は状態に関連してもよい。当該アシスタンス情報は、Overheating Assistance IEであってもよい。Overheating Assistance IEは、例えば、UE３からgNB（e.g., gNB-CU）にRRC signalingで報告される過剰な発熱問題（overheating problem）に関する情報（e.g., overheating assistance information）に相当又は関連してもよい。Overheating Assistance IEは、発熱問題を解消するために推奨される設定に関する情報（e.g., reduced UE Category, reduced Max CCs, reduced Max MIMO layers, or reduced Max active BWPs）を含んでもよい。
【００６３】
当該アシスタンス情報は、新たに定義され且つUE CONTEXT MODIFICATION REQUESTメッセージに包含されるSCell to Be Modify Item IEsに含まれてもよい。gNB-DU２は、当該アシスト情報をもとに、SCell２０の状態の変更を決定してもよい。例えば、activated状態であるSCell２０をdormant状態又はdeactivated状態に変更するように決定し、UE３にその指示を行ってもよい。これに代えて、SCell２０を削除することを決定し、それをgNB-CU１へ要求又は提案してもよい。これにより、gNB-DU２は、UE３の負荷又は状態を考慮して、SCell２０の状態管理を行うことができる。
【００６４】
＜第５の実施形態＞
本実施形態に係る無線通信ネットワークの構成例は、図１及び図２に示された例と同様である。本実施形態では、gNB-CU１は、SCell２０のために設定された複数のBWPsのうち２つ以上のダウンリンクBWPsを活性化するようgNB-DU２に指示又は提案する。SCell２０のために設定された複数のBWPs（i.e., BWPセット）は、DL BWPsであってもよいしUL BWPsであってもよい。gNB-DU２は、gNB-CU１からの指示又は提案に基づいて、SCell２０の２つ以上のダウンリンクBWPsを活性化してもよい。このような動作は、SCell２０のactive BWPsの数を制御することをgNB-CU１に可能にする。
【００６５】
図１５は、本実施形態のgNB-CU１及びgNB-DU２の動作の一例を示している。ステップ１５０１では、gNB-CU１は、SCell２０の２つ以上のダウンリンクBWPsを活性化するようgNB-DU２に指示又は提案するF1APメッセージをgNB-DU２に送信する。幾つかの実装では、gNB-CU１は、活性化されるBWPsの数を示す情報要素を、SCell２０の追加を要求するF1APメッセージ（e.g., UE CONTEXT SETUP REQUESTメッセージ又はUE CONTEXT MODIFICATION REQUESTメッセージ）に含めてもよい。さらに又はこれに代えて、gNB-CU１は、活性化されるBWPsの数を示す情報要素を、UE CONTEXTの修正を要求するF1APメッセージ（e.g., UE CONTEXT MODIFICATION REQUESTメッセージ）に含めてもよい。
【００６６】
続いて以下では、上述の複数の実施形態に係るgNB-CU１及びgNB-DU２の構成例について説明する。図１６は、上述の実施形態に係るgNB-CU１の構成例を示すブロック図である。なお、gNB-CU-CP１１及びgNB-CU-UP１２の構成も図１６に示されたそれと同様であってもよい。図１６を参照すると、gNB-CU１は、ネットワークインターフェース１６０１、プロセッサ１６０２、及びメモリ１６０３を含む。ネットワークインターフェース１６０１は、ネットワークノード（e.g., gNB-DU２並びに5GC内の制御プーレーン（CP）ノード及びユーザプレーン（UP）ノード）と通信するために使用される。ネットワークインターフェース１６０１は、複数のインタフェースを含んでもよい。ネットワークインターフェース１６０１は、例えば、CU-DU間通信のための光ファイバーインタフェース及びIEEE 802.3 seriesに準拠したネットワークインターフェースを含んでもよい。
【００６７】
プロセッサ１６０２は、無線通信のためのデジタルベースバンド信号処理（データプレーン処理）とコントロールプレーン処理を行う。プロセッサ１６０２は、複数のプロセッサを含んでもよい。例えば、プロセッサ１６０２は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）又はMicro Processing Unit（MPU））を含んでもよい。
【００６８】
メモリ１６０３は、揮発性メモリ及び不揮発性メモリの組み合わせによって構成される。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。メモリ１６０３は、プロセッサ１６０２から離れて配置されたストレージを含んでもよい。この場合、プロセッサ１６０２は、ネットワークインターフェース１６０１又は図示されていないI/Oインタフェースを介してメモリ１６０３にアクセスしてもよい。
【００６９】
メモリ１６０３は、上述の複数の実施形態で説明されたgNB-CU１による処理を行うための命令群およびデータを含む１又はそれ以上のソフトウェアモジュール（コンピュータプログラム）１６０４を格納してもよい。いくつかの実装において、プロセッサ１６０２は、当該１又はそれ以上のソフトウェアモジュール１６０４をメモリ１６０３から読み出して実行することで、上述の実施形態で説明されたgNB-CU１の処理を行うよう構成されてもよい。
【００７０】
図１７は、上述の実施形態に係るgNB-DU２の構成例を示すブロック図である。図１７を参照すると、gNB-DU２は、Radio Frequencyトランシーバ１７０１、ネットワークインターフェース１７０３、プロセッサ１７０４、及びメモリ１７０５を含む。RFトランシーバ１７０１は、NG UEsと通信するためにアナログRF信号処理を行う。RFトランシーバ１７０１は、複数のトランシーバを含んでもよい。RFトランシーバ１７０１は、アンテナアレイ１７０２及びプロセッサ１７０４と結合される。RFトランシーバ１７０１は、変調シンボルデータをプロセッサ１７０４から受信し、送信RF信号を生成し、送信RF信号をアンテナアレイ１７０２に供給する。また、RFトランシーバ１７０１は、アンテナアレイ１７０２によって受信された受信RF信号に基づいてベースバンド受信信号を生成し、これをプロセッサ１７０４に供給する。RFトランシーバ１７０１は、ビームフォーミングのためのアナログビームフォーマ回路を含んでもよい。アナログビームフォーマ回路は、例えば複数の移相器及び複数の電力増幅器を含む。
【００７１】
ネットワークインターフェース１７０３は、ネットワークノード（e.g., gNB-CU１、gNB-CU-CP１１、gNB-CU-UP１２）と通信するために使用される。ネットワークインターフェース１７０３は、複数のインタフェースを含んでもよい。ネットワークインターフェース１７０３は、例えば、CU-DU間通信のための光ファイバーインタフェース及びIEEE 802.3 seriesに準拠したネットワークインターフェースのうち少なくとも１つを含んでもよい。
【００７２】
プロセッサ１７０４は、無線通信のためのデジタルベースバンド信号処理（データプレーン処理）とコントロールプレーン処理を行う。プロセッサ１７０４は、複数のプロセッサを含んでもよい。例えば、プロセッサ１７０４は、デジタルベースバンド信号処理を行うモデム・プロセッサ（e.g., DSP）とコントロールプレーン処理を行うプロトコルスタック・プロセッサ（e.g., CPU又はMPU）を含んでもよい。プロセッサ１７０４は、ビームフォーミングのためのデジタルビームフォーマ・モジュールを含んでもよい。デジタルビームフォーマ・モジュールは、Multiple Input Multiple Output（MIMO）エンコーダ及びプリコーダを含んでもよい。
【００７３】
メモリ１７０５は、揮発性メモリ及び不揮発性メモリの組み合わせによって構成される。揮発性メモリは、例えば、SRAM若しくはDRAM又はこれらの組み合わせである。不揮発性メモリは、MROM、EEPROM、フラッシュメモリ、若しくはハードディスクドライブ、又はこれらの任意の組合せである。メモリ１７０５は、プロセッサ１７０４から離れて配置されたストレージを含んでもよい。この場合、プロセッサ１７０４は、ネットワークインターフェース１７０３又は図示されていないI/Oインタフェースを介してメモリ１７０５にアクセスしてもよい。
【００７４】
メモリ１７０５は、上述の複数の実施形態で説明されたgNB-DU２による処理を行うための命令群およびデータを含む１又はそれ以上のソフトウェアモジュール（コンピュータプログラム）１７０６を格納してもよい。いくつかの実装において、プロセッサ１７０４は、当該１又はそれ以上のソフトウェアモジュール１７０６をメモリ１７０５から読み出して実行することで、上述の実施形態で説明されたgNB-DU２の処理を行うよう構成されてもよい。
【００７５】
図１６及び図１７を用いて説明したように、上述の実施形態に係るgNB-CU１及びgNB-DU２が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７６】
＜その他の実施形態＞
上述の実施形態で説明されたgNB-CU１とgNB-DU２の間のシグナリングは、gNB-CU-CP１１とgNB-DU２の間で行われてもよい。
【００７７】
上述した実施形態は、5GシステムにおけるgNB-CU１とgNB-DU２を想定して説明されたが、他の別のネットワーク構成にも適用できる。例えば、5GCに接続されたLTE eNBはng-eNB（またはeLTE eNB）とも呼ばれ、gNBと同様にng-eNBの機能がCU（i.e., ng-eNB-CU）とDU（i.e., ng-eNB-DU）に配分されることが想定される。上述した実施形態で説明されたgNB-CU１とgNB-DU２の間のF1インタフェースにおけるシグナリングと同じ又は同様のシグナリングは、ng-eNB-CUとng-eNB-DUの間のインタフェース（e.g., W1 interface）で行われてもよい。
【００７８】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００７９】
例えば、上記の実施形態の一部又は全部は、以下の付記のようにも記載され得るが、以下には限られない。
【００８０】
（付記１）
基地局の分散ユニットであって、
少なくとも１つのメモリと、
前記少なくとも１つのメモリに結合された少なくとも１つのプロセッサと、
を備え、
前記少なくとも１つのプロセッサは、
キャリアアグリゲーションのセカンダリセルの追加を要求する第１のメッセージを前記基地局の中央ユニットから受信し、
前記第１のメッセージに応答して、前記セカンダリセルが当初は活性化される又は休止状態とされること決定し、
前記セカンダリセルが当初は活性化される又は休止状態とされることを示す第２のメッセージを前記中央ユニットに送信する、
よう構成される、
分散ユニット。
【００８１】
（付記２）
前記第１のメッセージは、前記セカンダリセルの追加が緊急であるか否かを示すアシスタンス情報を含む、
付記１に記載の分散ユニット。
【００８２】
（付記３）
前記第１のメッセージは、前記セカンダリセルの追加の目的に関するアシスタンス情報を含む、
付記１に記載の分散ユニット。
【００８３】
（付記４）
基地局の中央ユニットであって、
少なくとも１つのメモリと、
前記少なくとも１つのメモリに結合された少なくとも１つのプロセッサと、
を備え、
前記少なくとも１つのプロセッサは、
キャリアアグリゲーションのセカンダリセルの追加を要求する第１のメッセージを前記基地局の分散ユニットに送信し、
前記セカンダリセルが当初は活性化される又は休止状態とされることを示す第２のメッセージを前記分散ユニットから受信する、
よう構成される、
中央ユニット。
【００８４】
（付記５）
前記第１のメッセージは、前記セカンダリセルの追加が緊急であるか否かを示すアシスタンス情報を含む、
付記４に記載の中央ユニット。
【００８５】
（付記６）
前記第１のメッセージは、前記セカンダリセルの追加の目的に関するアシスタンス情報を含む、
付記４に記載の中央ユニット。
【００８６】
（付記７）
基地局の中央ユニットであって、
少なくとも１つのメモリと、
前記少なくとも１つのメモリに結合された少なくとも１つのプロセッサと、
を備え、
前記少なくとも１つのプロセッサは、
キャリアアグリゲーションのセカンダリセルの状態の変更又は前記セカンダリセルの削除を指示又は提案する第１のメッセージを前記基地局の分散ユニットに送信するよう構成される、
中央ユニット。
【００８７】
（付記８）
前記第１のメッセージは、前記セカンダリセルの状態の変更又は削除の目的を示すcause情報を含む、
付記７に記載の中央ユニット。
【００８８】
（付記９）
前記cause情報は、前記セカンダリセルに関連付けられた無線端末が過熱した状態であること、又は前記無線端末の過熱状態を解消するためであることを示す、
付記８に記載の中央ユニット。
【００８９】
（付記１０）
前記少なくとも１つのプロセッサは、前記セカンダリセルに関連付けられた無線端末のアクティビティに関連するアクティビティ情報を前記分散ユニットから受信するよう構成される、
付記７〜９のいずれか１項に記載の中央ユニット。
【００９０】
（付記１１）
前記アクティビティ情報は、前記無線端末のために活性化されている複数のセカンダリセルの各々での前記無線端末のアクティビティを示す、
付記１０に記載の中央ユニット。
【００９１】
（付記１２）
前記少なくとも１つのプロセッサは、前記アクティビティ情報に基づいて前記セカンダリセルの状態の変更又は削除を決定するよう構成される、
付記１０又は１１に記載の中央ユニット。
【００９２】
（付記１３）
基地局の分散ユニットであって、
少なくとも１つのメモリと、
前記少なくとも１つのメモリに結合された少なくとも１つのプロセッサと、
を備え、
前記少なくとも１つのプロセッサは、
キャリアアグリゲーションのセカンダリセルの状態の変更又は前記セカンダリセルの削除を指示又は提案する第１のメッセージを前記基地局の中央ユニットから受信するよう構成される、
分散ユニット。
【００９３】
（付記１４）
基地局の分散ユニットであって、
少なくとも１つのメモリと、
前記少なくとも１つのメモリに結合された少なくとも１つのプロセッサと、
を備え、
前記少なくとも１つのプロセッサは、
キャリアアグリゲーションのセカンダリセルの状態の変更又は削除に関連するアシスタンス情報を前記基地局の中央ユニットから受信するよう構成される、
分散ユニット。
【００９４】
（付記１５）
前記少なくとも１つのプロセッサは、前記アシスタンス情報に基づいて前記セカンダリセルの状態の変更又は削除を決定するよう構成される、
付記１４に記載の分散ユニット。
【００９５】
（付記１６）
前記アシスタンス情報は、前記セカンダリセルに関連付けられた無線端末の負荷又は状態を示す、
付記１４又は１５に記載の分散ユニット。
【００９６】
（付記１７）
基地局の中央ユニットであって、
少なくとも１つのメモリと、
前記少なくとも１つのメモリに結合された少なくとも１つのプロセッサと、
を備え、
前記少なくとも１つのプロセッサは、
キャリアアグリゲーションのセカンダリセルの状態の変更又は削除に関連するアシスタンス情報を前記基地局の分散ユニットに送信するよう構成される、
中央ユニット。
【００９７】
（付記１８）
基地局の中央ユニットであって、
少なくとも１つのメモリと、
前記少なくとも１つのメモリに結合された少なくとも１つのプロセッサと、
を備え、
前記少なくとも１つのプロセッサは、
キャリアアグリゲーションのセカンダリセルのために設定された複数のbandwidth parts（BWPs）のうち２つ以上を活性化するよう指示又は提案するメッセージを前記基地局の分散ユニットに送信するよう構成される、
中央ユニット。
【００９８】
（付記１９）
基地局の分散ユニットであって、
少なくとも１つのメモリと、
前記少なくとも１つのメモリに結合された少なくとも１つのプロセッサと、
を備え、
前記少なくとも１つのプロセッサは、
キャリアアグリゲーションのセカンダリセルのために設定された複数のbandwidth parts（BWPs）のうち２つ以上を活性化するよう指示又は提案するメッセージを前記基地局の中央ユニットから受信するよう構成される、
分散ユニット。
【００９９】
（付記Ｂ１）
基地局の中央ユニットであって、
少なくとも１つのメモリと、
前記少なくとも１つのメモリに結合された少なくとも１つのプロセッサと、
を備え、
前記少なくとも１つのプロセッサは、キャリアアグリゲーションのセカンダリセルの追加を要求する第１のメッセージを前記基地局の分散ユニットに送信するよう構成され、
前記第１のメッセージは、前記セカンダリセルが当初は活性化されるべき又は休止状態であるべきことを示す第１の情報要素を含む、
中央ユニット。
【０１００】
（付記Ｂ２）
前記第１の情報要素は、前記追加の後の前記セカンダリセルを、非活性化せずに、活性化する又は休止状態とするよう前記分散ユニットに促す、
付記Ｂ１に記載の中央ユニット。
【０１０１】
（付記Ｂ３）
前記少なくとも１つのプロセッサは、アシスタンス情報を含む第２のメッセージを前記分散ユニットから受信し、前記アシスタンス情報に基づいて前記セカンダリセルが活性化されるべき又は休止状態であるべきことを決定するよう構成される、
付記Ｂ１又はＢ２に記載の中央ユニット。
【０１０２】
（付記Ｂ４）
前記少なくとも１つのプロセッサは、さらに、前記セカンダリセルの状態を活性化状態、休止状態、及び非活性化状態の間で変更するよう前記分散ユニットに指示又は提案する第３のメッセージを、前記セカンダリセルの追加後に前記分散ユニットに送信するよう構成される、
付記Ｂ１〜Ｂ３のいずれか１項に記載の中央ユニット。
【０１０３】
（付記Ｂ５）
前記少なくとも１つのプロセッサは、さらに、前記セカンダリセルに関連付けられた無線端末のアクティビティ情報を前記分散ユニットから受信し、前記アクティビティ情報に基づいて前記セカンダリセルの状態の変更を決定するよう構成される、
付記Ｂ４に記載の中央ユニット。
【０１０４】
（付記Ｂ６）
前記第１のメッセージは、前記セカンダリセルの複数のダウンリンクbandwidth parts（BWPs）のうち２つ以上のダウンリンクBWPsを活性化するよう前記分散ユニットに指示又は提案する第２の情報要素をさらに含む、
付記Ｂ１〜Ｂ５のいずれか１項に記載の中央ユニット。
【０１０５】
（付記Ｂ７）
前記少なくとも１つのプロセッサは、さらに、前記セカンダリセルの複数のダウンリンクbandwidth parts（BWPs）のうち２つ以上のダウンリンクBWPsを活性化するよう前記分散ユニットに指示又は提案する第４のメッセージを、前記分散ユニットに送信するよう構成される、
付記Ｂ１〜Ｂ５のいずれか１項に記載の中央ユニット。
【０１０６】
（付記Ｂ８）
基地局の分散ユニットであって、
少なくとも１つのメモリと、
前記少なくとも１つのメモリに結合された少なくとも１つのプロセッサと、
を備え、
前記少なくとも１つのプロセッサは、キャリアアグリゲーションのセカンダリセルの追加を要求する第１のメッセージを前記基地局の中央ユニットから受信するよう構成され、
前記第１のメッセージは、前記セカンダリセルが当初は活性化されるべき又は休止状態であるべきことを示す第１の情報要素を含む、
分散ユニット。
【０１０７】
（付記Ｂ９）
前記少なくとも１つのプロセッサは、さらに、前記第１の情報要素の受信に応答して、前記追加の後の前記セカンダリセルを、非活性化せずに、活性化する又は休止状態とするよう構成される、
付記Ｂ８に記載の分散ユニット。
【０１０８】
（付記Ｂ１０）
前記少なくとも１つのプロセッサは、アシスタンス情報を含む第２のメッセージを前記中央ユニットに送信するよう構成され、
前記アシスタンス情報は、前記セカンダリセルが活性化されるべき又は休止状態であるべきことを決定するよう前記中央ユニットに促す、
付記Ｂ８又はＢ９に記載の分散ユニット。
【０１０９】
（付記Ｂ１１）
前記少なくとも１つのプロセッサは、さらに、前記セカンダリセルの状態を活性化状態、休止状態、及び非活性化状態の間で変更するよう前記分散ユニットに指示又は提案する第３のメッセージを、前記セカンダリセルの追加後に前記中央ユニットから受信するよう構成される、
付記Ｂ８〜Ｂ１０のいずれか１項に記載の分散ユニット。
【０１１０】
（付記Ｂ１２）
前記少なくとも１つのプロセッサは、前記第３のメッセージに従って、前記セカンダリセルの状態を変更するよう構成される、
付記Ｂ１１に記載の分散ユニット。
【０１１１】
（付記Ｂ１３）
前記第１のメッセージは、前記セカンダリセルの複数のダウンリンクbandwidth parts（BWPs）のうち２つ以上のダウンリンクBWPsを活性化するよう前記分散ユニットに指示又は提案する第２の情報要素をさらに含む、
付記Ｂ８〜Ｂ１２のいずれか１項に記載の分散ユニット。
【０１１２】
（付記Ｂ１４）
前記少なくとも１つのプロセッサは、さらに、前記セカンダリセルの複数のダウンリンクbandwidth parts（BWPs）のうち２つ以上のダウンリンクBWPsを活性化するよう前記分散ユニットに指示又は提案する第４のメッセージを、前記中央ユニットから受信するよう構成される、
付記Ｂ８〜Ｂ１３のいずれか１項に記載の分散ユニット。
【０１１３】
（付記Ｂ１５）
基地局の中央ユニットにおける方法であって、
キャリアアグリゲーションのセカンダリセルの追加を要求する第１のメッセージを前記基地局の分散ユニットに送信することを備え、
前記第１のメッセージは、前記セカンダリセルが当初は活性化されるべき又は休止状態であるべきことを示す第１の情報要素を含む、
方法。
【０１１４】
（付記Ｂ１６）
基地局の分散ユニットにおける方法であって、
キャリアアグリゲーションのセカンダリセルの追加を要求する第１のメッセージを前記基地局の中央ユニットから受信することを備え、
前記第１のメッセージは、前記セカンダリセルが当初は活性化されるべき又は休止状態であるべきことを示す第１の情報要素を含む、
方法。
【０１１５】
（付記Ｂ１７）
基地局の中央ユニットにおける方法をコンピュータに行わせるためのプログラムであって、
前記方法は、キャリアアグリゲーションのセカンダリセルの追加を要求する第１のメッセージを前記基地局の分散ユニットに送信することを備え、
前記第１のメッセージは、前記セカンダリセルが当初は活性化されるべき又は休止状態であるべきことを示す第１の情報要素を含む、
プログラム。
【０１１６】
（付記Ｂ１８）
基地局の分散ユニットにおける方法をコンピュータに行わせるためのプログラムであって、
前記方法は、キャリアアグリゲーションのセカンダリセルの追加を要求する第１のメッセージを前記基地局の中央ユニットから受信することを備え、
前記第１のメッセージは、前記セカンダリセルが当初は活性化されるべき又は休止状態であるべきことを示す第１の情報要素を含む、
プログラム。
【０１１７】
この出願は、２０１８年１１月２日に出願された日本出願特願２０１８−２０７４１５を基礎とする優先権を主張し、その開示の全てをここに取り込む。
【符号の説明】
【０１１８】
１  gNB-CU
２  gNB-DU
３  UE
１１  gNB-CU-CP
１２  gNB-CU-UP
１６０２  プロセッサ
１６０３  メモリ
１６０４  モジュール（modules）
１７０４  プロセッサ
１７０５  メモリ
１７０６  モジュール（modules）
【図１】
2020090201.tif 000003
【図２】
2020090201.tif 000004
【図３】
2020090201.tif 000005
【図４】
2020090201.tif 000006
【図５】
2020090201.tif 000007
【図６】
2020090201.tif 000008
【図７】
2020090201.tif 000009
【図８】
2020090201.tif 000010
【図９】
2020090201.tif 000011
【図１０】
2020090201.tif 000012
【図１１】
2020090201.tif 000013
【図１２】
2020090201.tif 000014
【図１３】
2020090201.tif 000015
【図１４】
2020090201.tif 000016
【図１５】
2020090201.tif 000017
【図１６】
2020090201.tif 000018
【図１７】
2020090201.tif 000019
【手続補正書】
【提出日】令和3年4月16日(2021.4.16)
【手続補正２】
【補正対象書類名】特許請求の範囲
【補正対象項目名】全文
【補正方法】変更
【補正の内容】
【特許請求の範囲】
【請求項１】
gNB-Central Unit(CU)から、UE Context Modification Requestメッセージを受信し、
前記UE Context Modification Requestメッセージの受信に応答して、前記gNB-CUにUE Context Modification Responseメッセージを送信し、
前記UE Context Modification Responseメッセージはsecondary cell（SCell）がactivated状態とされるか否かを示す第１の情報要素を含む、
gNB-Distributed Unit(DU)の方法。
【請求項２】
前記UE Context Modification Requestメッセージは、前記SCellの追加を要求するメッセージであり、
前記第１の情報要素は、前記SCellの初期状態がactivated状態とされるか否かを示す、
請求項１に記載のgNB-DUの方法。
【請求項３】
前記UE Context Modification ResponseメッセージはCell Group Config IEを包含するDU to CU RRC Information 情報要素(IE)を含み、
前記第１の情報要素は前記Cell Group Config IEに含まれる、
請求項１に記載のgNB-DUの方法。
【請求項４】
前記Cell Group Config IEが前記第１の情報要素を含まない場合、前記gNB-CUは前記SCellの初期状態が非活性化されると考える、請求項３に記載のgNB-DUの方法。
【請求項５】
gNB-Distributed Unit(DU)に、UE Context Modification Requestメッセージを送信し、
前記UE Context Modification Requestメッセージを送信した後、前記gNB-DUからUE Context Modification Responseメッセージを受信し、
前記UE Context Modification Responseメッセージはsecondary cell（SCell）がactivated状態とされるか否かを示す第１の情報要素を含む、
gNB-Central Unit(CU)の方法。
【請求項６】
前記UE Context Modification Requestメッセージは、前記SCellの追加を要求するメッセージであり、
前記第１の情報要素は、前記SCellの初期状態がactivated状態とされるか否かを示す、
請求項５に記載のgNB-CUの方法。
【請求項７】
前記UE Context Modification ResponseメッセージはCell Group Config IEを包含するDU to CU RRC Information 情報要素(IE)を含み、
前記第１の情報要素は前記Cell Group Config IEに含まれる、
請求項５に記載のgNB-CUの方法。
【請求項８】
前記Cell Group Config IEが前記情報要素を含まない場合、前記SCellの初期状態が非活性化されると考える、請求項７に記載のgNB-CUの方法。
【請求項９】
gNB-Central Unit(CU)とgNB-Distributed Unit(DU)を備えるgNBの方法であって、
前記gNB-CUが前記gNB-DUに、UE Context Modification Requestメッセージを送信し、
前記gNB-DUは、前記UE Context Modification Requestメッセージの受信に応答して、前記gNB-CUにUE Context Modification Responseメッセージを送信し、
前記UE Context Modification Responseメッセージはsecondary cell（SCell）がactivated状態とされるか否かを示す第１の情報要素を含む、
gNBの方法。
【請求項１０】
メモリとプロセッサを有し、
前記プロセッサは、
gNB-Central Unit(CU)から、UE Context Modification Requestメッセージを受信し、
前記UE Context Modification Requestメッセージの受信に応答して、前記gNB-CUにUE Context Modification Responseメッセージを送信し、
前記UE Context Modification ResponseメッセージはSCellがactivated状態とされるか否かを示す第１の情報要素を含む、
gNB-Distributed Unit(DU)。
【請求項１１】
前記UE Context Modification Requestメッセージは、前記secondary cell（SCell）の追加を要求するメッセージであり、
前記第１の情報要素は、前記SCellの初期状態がactivated状態とされるか否かを示す、
請求項１０に記載のgNB-DU。
【請求項１２】
前記UE Context Modification ResponseメッセージはCell Group Config IEを包含するDU to CU RRC Information 情報要素(IE)を含み、
前記第１の情報要素は前記Cell Group Config IEに含まれる、
請求項１０に記載のgNB-DU。
【請求項１３】
前記Cell Group Config IEが前記第１の情報要素を含まない場合、前記gNB-CUは前記SCellの初期状態が非活性化されると考える、請求項１２に記載のgNB-DU。
【請求項１４】
メモリとプロセッサとを有し、
前記プロセッサは、
gNB-Distributed Unit(DU)に、UE Context Modification Requestメッセージを送信し、
前記UE Context Modification Requestメッセージを送信した後、前記gNB-DUからUE Context Modification Responseメッセージを受信し、
前記UE Context Modification Responseメッセージはsecondary cell（SCell）がactivated状態とされるか否かを示す第１の情報要素を含む、
gNB-Central Unit(CU)。
【請求項１５】
前記UE Context Modification Requestメッセージは、前記SCellの追加を要求するメッセージであり、
前記第１の情報要素は、前記SCellの初期状態がactivated状態とされるか否かを示す、
請求項１４に記載のgNB-CU。
【請求項１６】
前記UE Context Modification ResponseメッセージはCell Group Config IEを包含するDU to CU RRC Information 情報要素(IE)を含み、
前記第１の情報要素は前記Cell Group Config IEに含まれる、
請求項１４に記載のgNB-CU。
【請求項１７】
前記Cell Group Config IEが前記第１の情報要素を含まない場合、前記SCellの初期状態が非活性化されると考える、請求項１６に記載のgNB-CU。
【国際調査報告】
2020090201.tif 000020
2020090201.tif 000021
2020090201.tif 000022
2020090201.tif 000023